(57)【特許請求の範囲】
【請求項１】
ケージを備えるころ軸受において、
外輪と、
内輪と、
前記外輪と前記内輪との間に配置された複数のころであって、該ころは、概して円筒状であり、回転軸線は軸受の回転中心軸線に対して鋭角に角度づけられている、複数のころと、
前記ころを保持するケージであって、該ケージは、それぞれが前記ころの回転軸線方向に実質的に延びる複数のブリッジからなり、隣接するブリッジの間にポケットが形成され、該ポケット内で前記ころを前記外輪と前記内輪との間で回転させるように構成された主部と、各ブリッジの一端から当該ころ軸受の半径方向外側に向けて延びる外側フランジ部分と、各ブリッジの他端から当該ころ軸受の半径方向外側に向けて延びる内側フランジ部分と、を有し、前記複数のブリッジは、前記外側フランジ部分及び前記内側フランジ部分で連結されており、前記主部が前記ケージの最も内側の内径面を規定している、ケージと、
を備え、
前記主部は、前記ころのころピッチよりも小さな直径で前記ケージに形成されていることを特徴とする、ケージを備えるころ軸受。
【請求項２】
前記ポケットはそれぞれ、前記ころと係合するころ保持体を有する、請求項１記載の軸受。
【請求項３】
前記ころ保持体は、前記内側フランジ部分に形成されている、請求項２記載の軸受。
【請求項４】
前記内側フランジ部分と、前記外側フランジ部分と、前記主部とは、一体に形成されている、請求項１から３までのいずれか１項記載の軸受。
【請求項５】
前記ケージは、打抜き加工されている、請求項１から４までのいずれか１項記載の軸受。
【請求項６】
前記ケージに隣接する第２のケージを有し、該第２のケージは、前記ケージと同様に形成されている、請求項１から５までのいずれか１項記載の軸受。
【請求項７】
ころ軸受ケージであって、
ケージエレメントであって、ほぼ円筒状のころを保持しかつ該ころを前記ケージエレメント内で該ケージエレメントの中心軸線に対して鋭角に角度づけられた軸線上で回転可能にするケージエレメントを備え、該ケージエレメントは、それぞれが前記ころの回転軸線方向に実質的に延びる複数のブリッジからなり、隣接するブリッジの間にポケットが形成され、該ポケット内で前記ころを外輪と内輪との間で回転させるように構成された主部と、各ブリッジの一端から当該ころ軸受ケージの半径方向外側に向けて延びる外側フランジ部分と、各ブリッジの他端から当該ころ軸受ケージの半径方向外側に向けて延びる内側フランジ部分と、を有し、前記複数のブリッジは、前記外側フランジ部分及び前記内側フランジ部分で連結されており、前記主部が前記ころ軸受ケージの最も内側の内径面を規定しており、
前記主部は、前記ころのころピッチよりも小さな直径で前記ケージエレメントに形成されていることを特徴とする、ころ軸受ケージ。
【請求項８】
前記ポケットはそれぞれ、前記ころと係合するころ保持体を有する、請求項７記載のケージ。
【請求項９】
前記ころ保持体は、前記内側フランジ部分に形成されている、請求項８記載のケージ。
【請求項１０】
前記内側フランジ部分と、前記外側フランジ部分と、前記主部とは、一体に形成されている、請求項７から９までのいずれか１項記載のケージ。
【請求項１１】
前記ケージは、打抜き加工されている、請求項７から１０までのいずれか１項記載のケージ。
【請求項１２】
ケージを備えるころ軸受において、
外輪を備える外側リングと、
内輪直径を規定する内輪を備える内側リングであって、該内側リングは、前記内輪直径よりも大きな寸法の外径面を有する、内側リングと、
前記外輪と前記内輪との間に配置された複数のころであって、該ころは、概して円筒状であり、回転軸線は軸受の回転中心軸線に対して鋭角に角度づけられている、複数のころと、
前記ころを保持するケージであって、該ケージは、それぞれが前記ころの回転軸線方向に実質的に延びる複数のブリッジからなり、隣接するブリッジの間にポケットが形成され、該ポケット内で前記ころを前記外輪と前記内輪との間で回転させるように構成された主部と、各ブリッジの一端から当該ころ軸受の半径方向外側に向けて延びる外側フランジ部分と、各ブリッジの他端から当該ころ軸受の半径方向外側に向けて延びる内側フランジ部分と、を有し、前記複数のブリッジは、前記外側フランジ部分及び前記内側フランジ部分で連結されており、前記主部が前記ケージの最も内側の内径面を規定している、ケージと、
を備え、
前記主部は、前記ころのころピッチよりも小さな直径で前記ケージに形成されていることを特徴とする、ケージを備えるころ軸受。
【請求項１３】
前記ポケットはそれぞれ、前記ころと係合するころ保持体を有する、請求項１２記載の軸受。
【請求項１４】
前記ころ保持体は、前記内側フランジ部分に形成されている、請求項１３記載の軸受。
【請求項１５】
前記内側フランジ部分と、前記外側フランジ部分と、前記主部とは、一体に形成されている、請求項１２から１４までのいずれか１項記載の軸受。
【請求項１６】
前記ケージは、打抜き加工されている、請求項１２から１５までのいずれか１項記載の軸受。
【請求項１７】
前記ケージに隣接する第２のケージを有し、該第２のケージは、前記ケージと同様に形成されている、請求項１２から１６までのいずれか１項記載の軸受。
【発明の詳細な説明】
【技術分野】
【０００１】
関連する出願データ
本願は、現在係属中の２０１４年４月２５日に出願された出願番号第１４／２６２１００号の利益、現在係属中の２０１３年９月２５日に出願された非仮出願番号第１４／０３６３５０号の利益、及び２０１３年５月７日に出願された仮出願番号第６１／８２０２３９の利益を請求し、これらの開示は引用したことにより本明細書に組み込まれる。
【０００２】
背景
本開示は、外輪と、内輪と、複数のころと、一対のケージとを備えるころ軸受に関する。ケージは、半径方向外向きに向けられた内側フランジを有してもよい。ケージは、ころを案内するためにケージの外側フランジ部分に形成された案内面を有してもよい。案内面は、ころの軸方向端部と接触する円筒状の接触面を有し、これにより、ころは、外側フランジ部分が設計位置にあるか、又は荷重又は製造の不正確さにより傾斜させられているかにかかわらず、ころ面を横切る接触線全体で案内することができる。
【０００３】
図面の説明
明細書に組み込まれかつ明細書の一部を形成する添付図面は、実施の形態を示している。
【図面の簡単な説明】
【０００４】
【図１】軸受ケージの透視図を示している。
【図２】図１の軸受ケージの正面図を示している。
【図３】図１の軸受ケージの断面図を示している。
【図４】軸受の拡大した部分的な断面図を示しており、この軸受と、図１の軸受ケージが組み立てられている。
【図５】仮想線で示されたころを備える、図１の軸受ケージの代替的な実施の形態の部分的な拡大透視図を示している。
【図６】図５の軸受ケージの部分的な拡大透視図を示している。
【図７Ａ】図５の軸受ケージの部分的な拡大断面図を示している。
【図７Ｂ】図７Ａの詳細図を示している。
【図８】図１の軸受ケージの代替的な実施の形態の部分的な拡大正面図を示している。
【図９】断面図で示されたロータを備える図８の軸受ケージの部分的な拡大透視図を示している。
【図１０】図８の軸受ケージの部分的な拡大透視図を示している。
【図１１】軸受ケージの内側フランジを形成するためにロケータに取り付けられた半径方向延長部材を備える２部構成のアセンブリを有する、図１の軸受ケージの代替的な実施の形態の部分的な拡大透視図を示している。
【図１２】軸受ケージの代替的な実施の形態の正面図を示している。
【図１３】図１２の軸受ケージの断面図を示している。
【図１４】図１２のケージを示しており、ころ／ケージ／内側リングのアセンブリを断片的な形式で示している。
【図１５】図１２のケージの外側フランジ部分の拡大詳細図である。
【図１６】仮想線で示されたころを備える、図１２のケージの外側フランジ部分の拡大詳細図である。
【図１７】半径方向外側を見た内径の透視図からの、ケージの外側フランジ部分の拡大詳細図であり、外側フランジに形成された案内面によって生ぜしめられた線接触を示すために断面図で示されたころを備えている。
【図１８】ころの軸方向の面と接触した円筒状の案内面の別の拡大詳細図を備える、ころ／ケージアセンブリの拡大した詳細な側面図である。
【図１９】ころの軸方向の面と接触した円筒状の案内面の別の拡大詳細図を備える、ころ／ケージアセンブリの拡大した詳細な側面図である。
【図２０】仮想線で示されたころを備える、ポケットの長さを横切って断続的に間隔を置かれた２つ以上の突出部を案内面が有するケージの代替的な実施の形態である。
【０００５】
詳細な説明
図１は、ころ軸受、例えば、自動調心球面ころ軸受、のために使用されてもよい典型的なケージ２０を示している。ケージ２０は、金属板をプレス成形又は打抜き加工することによって、又は合成樹脂を射出成形することによって形成されてもよい。ケージは、主部２２と、主部の側部から半径方向外向きに延びる外側フランジ部分２４と、主部の反対側から半径方向外向きに延びる内側フランジ部分２６と、を有する。主部２２には複数のポケット２８が形成されている。各ポケット２８は、１つのほぼ円筒状のころ３０を保持している。ころ３０は、ポケット２８において回転可能である。図１において、ポケット２８の間に配置された主部２２は、ケージの内径面Ｄ３を形成しており、内側フランジ２６はこの内径面から外向きに延びている。図４は、Ｄ３によって示されたケージの最も内側の内径の付加的な詳細を示している。すなわち、ポケット２８の間に配置された主部２２は、ブリッジを形成しており、内側フランジ２６は、このブリッジから半径方向外向きに延びている。内側フランジ２６は、主部２２から半径方向外向きに曲げられていてよく、これにより、主部２２、例えば、ポケットによって規定されたブリッジは、ケージの最も内側の面を規定してもよい。図３に示したように、主部２２は円錐形に形成されていてもよく、これにより、外側フランジ部分は、主部のより大きな直径の側から半径方向外向きに延びており、内側フランジ部分は、主部の小さな直径の側から半径方向外向きに延びており、より小さな直径の部分はＤ３で示されている。主部は、円錐形ではなく、円筒形であってもよい。内側フランジを主部から半径方向外向きに曲げることにより、ケージの全体的な剛性が維持されてよく、以下で説明するように、延長した内側リング軸受形式を備えるケージを使用するための所要の間隙を提供してもよい（例えば図４参照）。好適には、内側フランジは、ブリッジに対して９０°の角度で曲げられている。
【０００６】
ほぼ円筒状のころがポケットから半径方向に引き出されるのを防止するために、舌片又はころ保持体がポケットに隣接して設けられてもよい。図５〜図７Ａ、図７Ｂは、外側フランジ２４に形成されたころ保持体３２’を備えたケージの実施の形態を示している。図８〜１１は、内側フランジ２６に形成されたころ保持体３２を備えたケージの実施の形態を示している。ころ保持体３２，３２’は、好適には、各ポケット２８の中央に配置されており、ころ３０の軸方向面における凹部３４に係合する。ころ凹部３４は、円形であってもよく、樽形のころ３０の端部の中央に配置されていてもよい。樽形ころの端部に形成された凹部は、樽形ころと同心状の環状であってもよい。内側フランジに形成されたころ保持特徴部若しくは保持体は、機械加工、打抜き加工又は圧印加工されてもよい。
【０００７】
図４は、上述の軸受ケージに関連して使用されてもよい典型的な延長した内側リング軸受を示している。延長した内側リング軸受５０は、延長部５２を備えた内側リング５１と、内側リングを取り囲んだ外側リング５４とを有し、内側リング５１と外側リング５４との間にころ３０が配置されている。内側フランジ２６は半径方向外向きに延びているので、軸受ケージ２０は、内側リング延長部５１を有する軸受５０に関連する使用を許容するための半径方向間隙を有する。通常、延長した内側リング軸受内側リング延長部５２は、内側リングレースの外径面の直径Ｄ２よりも大きな寸法である直径Ｄ１を備える外径面を有する。半径方向外向きに延びるようにころ軸受ケージ内側フランジ２６を形成することによって、軸受ケージ２０の最も内側の内径Ｄ３は、内側リング延長部５２の外径面Ｄ１上に方向付けられるように寸法決めされていてよい。内側フランジ２６を外向きに曲げることによって、全体的な剛性及び強度を備える軸受ケージを提供するために、十分に材料が内側フランジ（比較的大きな外径）に加えられてもよい。主部２２のブリッジは、ころピッチＤ４よりも小さな直径、例えば、直径Ｄ３においてケージに形成されていてもよい。これは、ころピッチよりも大きな直径においてころを分離させる案内リング又はその他のブリッジなどのその他の構成部材を使用する必要性を排除する。さらに、外向きに曲げられた内側フランジは、ころ保持体３２のための内側フランジにおける位置を提供する。軸受５０に組み立てられると、一対のケージ２０の外側フランジ部分２４は、互いに当接するように配置される。
【０００８】
図５〜図１１に最も詳細に示したように、軸受ケージには、ころ３０を案内するために外側フランジ２４に形成された案内面６０が設けられてもよい。案内面は、ころ３０の軸方向端部と接触する円筒状の接触面を有してもよく、これにより、ころは、外側フランジ部分が設計された位置にあるか、又は荷重又は製造の不正確さにより傾斜させられているかにかかわらず、ころ面を横切る接触線全体６２（図８）で案内することができる。
【０００９】
円筒状の案内面６０は、外側フランジ部分の内側面においてポケット２８に隣接して外側フランジ部分２４に形成されていてもよい。案内面は、円筒状（図５、図６）に圧印されるか、さもなければ突出部（図７Ａ、図７Ｂ）として形成されてもよい。案内面６０は、ポケット２８に沿って連続的（図８）又は断続的（図５、図６）であってもよい。図８に最も詳細に示したように、案内面６０は、ポケットを横切って直線６２で配置されてもよく、これにより、外側フランジにおいて案内面の多角形の形状を規定する。多角形の辺の数は、軸受のポケット及びころの数に相当してもよい。図２に示したように、１８辺の多角形を規定する１８個のポケットが設けられている。案内面は、多角形の各辺７０に対応するように配置されている。
【００１０】
案内面６０は、円筒状であってもよく、ころの軸方向端面を横切る線接触６２によって実質的に均一にころの軸方向端面に対して当接する。線接触は、ころ面と案内面との間に存在すべき潤滑膜を改良する。加えて、ころ面を横切って完全な線接触を提供することにより、ほぼ円筒状のころは、ケージのフランジ付き部分が設計されたように所定の位置において打ち抜かれるか、又は内方又は外方へ傾いているかにかかわらず、最小限の傾斜で案内面によって案内される。さらに、線接触は、より大きな製造公差内でのころの案内を可能にする。例えば、打抜き加工において、より大きな変動が許容されてもよく、ころは、ころにおける異なる高さにおいて、ただし完全な線接触によって、円筒状案内面と接触する。円筒状設計は、回転方向、又は打抜き加工に関連する製造変化にかかわらず、ころとケージ案内面との間の潤滑を高める。半径方向外向きに延びるように内側フランジを形成することによって、内側フランジは、ころ保持体を備えて形成されてもよく、外側フランジは、より頑丈な案内面特徴部が設けられてもよい。
【００１１】
図１１は、２部構成のアセンブリを含む内側フランジ２６’を備える軸受ケージの代替的な実施の形態を示している。特に、内側フランジ２６’は、ブリッジ２２の最も内側の部分におけるロケータ８２に取り付けられた、環状の、半径方向に延びる部材８０を有する。例えば、製造懸念により、内側フランジにころ保持特徴部を形成することは望ましくないであろう。したがって、製造可能性のために、２部構成のアセンブリを含む内側フランジにより、ころ保持体３２は、別個の環状の半径方向に延びる部材８０に形成されることができ、この部材８０は、次いで、ブリッジの最も内側の部分におけるロケータ８２に固定されてもよい。
【００１２】
図１２は、ころ軸受、例えば、自動調心球面ころ軸受、のために使用されてもよい、ケージ１２０の代替的な実施の形態を示している。ケージ１２０もまた、金属板をプレス成形又は打抜き加工することによって、又は合成樹脂を射出成形することによって形成されてもよい。ケージは、主部１２２と、主部の側部から半径方向外向きに延びる外側フランジ部分１２４と、主部の反対側から半径方向内向きに延びる内側フランジ部分１２６と、を有する。図１３に示したように、主部は円錐形に形成されていてもよく、これにより、外側フランジ部分は、主部のより大きな直径の側から半径方向外向きに延びており、内側フランジ部分は、主部の小さな直径の側から半径方向内向きに延びている。主部は、円錐形ではなく、円筒形であってもよい。
【００１３】
主部１２２には複数のポケット１２８（分かりやすくするために図２には示されていない）が形成されている。各ポケット１２８は、１つの樽形のころ１３０を保持している。ころ１３０は、ポケット１２８において回転可能である。樽形のころがポケットから半径方向に引き出されるのを防止するために、ポケット内へ延びるように、外側フランジ部分１２４の内周縁に舌片又はころ保持体１３２が形成されている。ころ保持体１３２は、好適には、各ポケット１２８の中央に配置されており、ころ１３０の軸方向面における凹部１３４に係合する（図１４）。ころ凹部１３４は、円形であってもよく、樽形のころの端部の中央に配置されていてよい。樽形ころの端部に形成された凹部は、樽形ころと同心状の環状であってもよい。軸受５０に組み立てられると、一対のケージ２０の外側フランジ部分は、図１４及び図１８に示したように、外側フランジ部分が互いに当接するように組み立てられる。
【００１４】
前述のように、円筒状の案内面１４０は、外側フランジ部分の内側面においてポケット１２８に隣接して外側フランジ部分１２４に形成されていてもよい。案内面は、円筒状に圧印されるか、さもなければ突出部として形成されてもよい。案内面１４０は、ポケット１２８に沿って連続的又は断続的（図２０）であってもよい。案内面１４０は、ポケットを横切って直線１５０で配置されてもよく、これにより、外側フランジにおける案内面の多角形の形状を規定する。多角形の辺の数は、軸受のポケット及びころの数に相当してもよい。図１２に示したように、１８辺の多角形を規定する１８個のポケットが設けられている。案内面は、多角形の各辺１５０に対応するように配置されている。
【００１５】
案内面は、円筒状であってもよく、ころの軸方向端面を横切る線接触１４２（図１７）によって実質的に均一にころの軸方向端面に対して当接する。前述のように、線接触は、ころ面と案内面との間に存在すべき潤滑膜を改良し、ころ面を横切って完全な線接触を提供することにより、樽形のころは、ケージのフランジ付き部分が設計されたように所定の位置において打ち抜かれるか、又は内方又は外方へ傾いているかにかかわらず、最小限の傾斜で案内面によって案内される。加えて、前述のように、接触線は、より大きな製造公差内でのころの案内を可能にし、円筒状設計は、回転方向、又は打抜き加工に関連する製造変化にかかわらず、ころとケージ案内面との間の潤滑を高める。
【００１６】
前記のことを考慮すると、発明の複数の利点が達成されることが分かるであろう。実施の形態は、発明の原理及びその実用的な用途を最もよく説明し、これにより当業者が、様々な実施の形態において、意図した特定の使用に適した様々な変更を備えて発明を最もよく利用することを可能にするために、選択及び説明されている。発明の範囲から逸脱することなく、ここで説明及び例示された構成及び方法において様々な変更をなし得るので、前記説明に含まれた又は添付の図面に示された全ての事項は、限定するものではなく例示的であると解されることが意図されている。つまり、本発明の広さ及び範囲は、上述の典型的な実施の形態によって限定されるべきではなく、ここに添付された以下の請求項及びそれらの均等物に従ってのみ規定されるべきである。
【図１】
0006261719.tif 000002
【図２】
0006261719.tif 000003
【図３】
0006261719.tif 000004
【図４】
0006261719.tif 000005
【図５】
0006261719.tif 000006
【図６】
0006261719.tif 000007
【図７Ａ】
0006261719.tif 000008
【図７Ｂ】
0006261719.tif 000009
【図８】
0006261719.tif 000010
【図９】
0006261719.tif 000011
【図１０】
0006261719.tif 000012
【図１１】
0006261719.tif 000013
【図１２】
0006261719.tif 000014
【図１３】
0006261719.tif 000015
【図１４】
0006261719.tif 000016
【図１５】
0006261719.tif 000017
【図１６】
0006261719.tif 000018
【図１７】
0006261719.tif 000019
【図１８】
0006261719.tif 000020
【図１９】
0006261719.tif 000021
【図２０】
0006261719.tif 000022